【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
（ａ）少なくとも１種のイソシアネート、一般にジイソシアネート；
（ｂ）少なくとも１種の式Ｊのシリコーン含有化合物：
【化１】
2016500708.tif 000001
［式中、
Ｒ、Ｒ１、Ｒ２、Ｒ３およびＲ４は、それぞれ独立して、ヒドロカルビル基（一般に低級アルキル基）またはＨを表わし；
各Ｒ５はヒドロカルビル基（一般に低級アルキル基）を表わし；
ｐは、０〜４０、適切には１〜１０の整数であり；
ｑは、０〜４０、適切には１〜１０の整数であり；
ｚは、１〜５０、一般には１〜１０、適切には１〜３の整数であり；
ｕは、１〜１００、適切には１０〜４０、典型的には１〜１０の整数であり；
Ｑ基は、それぞれ独立して、ＣＯＯＨ、ＯＨ、ＳＨ、ＮＨ２、ＮＨＲまたはＮＣＯ基を表わし、典型的には、ＱはそれぞれＯＨを表わし；
ここで、少なくとも１個のＲ１基はヒドロカルビル基を表わし、ｐは１〜４０の整数を表わすか、または、少なくとも１個のＲ２基はヒドロカルビル基を表わし、ｑは１〜４０の整数を表わし；また、
少なくとも１個のＲ３基はヒドロカルビル基を表わし、ｗは１〜４０の整数を表わすか、または、少なくとも１個のＲ４基はヒドロカルビル基を表わし、ｙは１〜４０の整数を表わす］；
（ｃ）任意に、１個または複数のＣＯＯＨ、ＯＨ、ＳＨおよびＮＨ２末端基を含む少なくとも１種の鎖延長剤であって、前記鎖延長剤はＰＥＧ化合物であり、当該鎖延長剤は５００以下の数平均分子量を有し；
（ｄ）任意に、１種または複数の６００〜２０，０００の数平均分子量を有するＰＥＧ化合物；
（ｅ）ＣＯＯＨ、ＯＨ、ＳＨ、ＮＨ２、ＮＨＲおよび／またはＮＣＯ官能基［式中、Ｒはアルキル基を表わす］を含む、２以上の平均官能価を有する多官能性化合物、
を含む混合物から調製されるポリウレタンキセロゲルであって、
ここで、反応物は実質的に無水条件下で反応させ、
反応物の少なくとも９５ｗｔ％は、２以下の平均官能価を有し、一般的には反応物の少なくとも９９ｗｔ％が２以下の平均官能価を有し、
２５ｗｔ％以上のシリコーン含量を有する、ポリウレタンキセロゲル。
【請求項２】
前記シリコーン含有化合物が、  式Ｊｉｉの構造：
【化２】
2016500708.tif 000002
［式中、
ｐは、１〜４０の整数であり；
ｑは、１〜４０の整数であり；
ｗは、１〜４０の整数であり；
ｙは、１〜４０の整数である］
を有する、請求項１に記載のキセロゲル。
【請求項３】
前記シリコーン含有化合物が、式Ｂ又は式Ｂｉの構造：
【化３】
2016500708.tif 000003
【化４】
2016500708.tif 000004
［式中、
ｐは、１〜４０の整数を表わし；
ｑは、０〜４０、一般には１〜１０の整数を表わし；
ｚは、１〜５０、一般には１〜１０、適切には１〜３の整数であり；
ｕは、１〜１００、適切には１０〜４０、典型的には１〜１０の整数である］
を有する、請求項１に記載のキセロゲル。
【請求項４】
（ａ）１種の式Ｃのシリコーン含有化合物：
【化５】
2016500708.tif 000005
［式中、
Ｒ基は、それぞれ独立して、ヒドロカルビル基（一般に低級アルキル基）またはＨを表わし；
ｚは、１〜５０、一般には１〜１０、適切には１〜３までの整数であり；
ｕは、１〜１００、適切には１０〜４０、典型的には１〜１０の整数であり；
Ｑ基は、それぞれ独立して、ＣＯＯＨ、ＯＨ、ＳＨ、ＮＨ２、ＮＨＲまたはＮＣＯ基を表わし、典型的には、ＱはそれぞれＯＨを表わす］、及び
１〜３種の式Ｂのシリコーン含有化合物；
（ｂ）任意に、１個または複数のＣＯＯＨ、ＯＨ、ＳＨおよびＮＨ２末端基を含む少なくとも１種の鎖延長剤であって、前記鎖延長剤はＰＥＧ化合物であり、当該鎖延長剤は５００以下の数平均分子量を有し；
（ｃ）任意に、１種または複数の６００〜２０，０００の数平均分子量を有するＰＥＧ化合物を含み、
ここで、イソシアネート、シリコーン含有化合物、ならびに任意に鎖延長剤およびＰＥＧ化合物を実質的に無水条件下で反応させる、請求項３に記載のキセロゲル。
【請求項５】
前記シリコーン含有化合物のそれぞれが３０００未満の数平均分子量を有する、請求項１から４のいずれか一項に記載のキセロゲル。
【請求項６】
ポリエチレングリコール（ＰＥＧ）化合物、一般的には約１５００〜約３５００の分子量を有するＰＥＧ化合物を含む、請求項１から５のいずれか一項に記載のキセロゲル。
【請求項７】
前記鎖延長剤がジオール、特に式Ｄのジオール：
【化６】
2016500708.tif 000006
［式中、ｎは、１〜２５、適切には１〜１０、より適切には１〜４の整数であり、  好ましくは、前記ジオールが１００〜５００の数平均分子量を有するＰＥＧ化合物、典型的にはトリエチレングリコール（ＴＥＧ）またはテトラエチレングリコール（ＴＴＥＧ）である、請求項１から６のいずれか一項に記載のキセロゲル。
【請求項８】
請求項１から７のいずれか一項に記載のポリウレタンキセロゲルを水和状態で含むポリウレタンヒドロゲル。
【請求項９】
（ｉ）（ａ）少なくとも１種のイソシアネート、一般にジイソシアネート；
（ｂ）少なくとも１種の式Ｊのシリコーン含有化合物：
【化７】
2016500708.tif 000007
［式中、
Ｒ、Ｒ１、Ｒ２、Ｒ３およびＲ４は、それぞれ独立して、ヒドロカルビル基（一般に低級アルキル基）またはＨを表わし；
各Ｒ５はヒドロカルビル基（一般に低級アルキル基）を表わし；
ｐは、０〜４０、適切には１〜１０の整数であり；
ｑは、０〜４０、適切には１〜１０の整数であり；
ｚは、１〜５０、一般には１〜１０、適切には１〜３の整数であり；
ｕは、１〜１００、適切には１０〜４０、典型的には１〜１０の整数であり；
Ｑ基は、それぞれ独立して、ＣＯＯＨ、ＯＨ、ＳＨ、ＮＨ２、ＮＨＲまたはＮＣＯ基を表わし、典型的には、ＱはそれぞれＯＨを表わし；
ここで、少なくとも１個のＲ１基はヒドロカルビル基を表わし、ｐは１〜４０の整数を表わすか、または、少なくとも１個のＲ２基はヒドロカルビル基を表わし、ｑは１〜４０の整数を表わし；また、
少なくとも１個のＲ３基はヒドロカルビル基を表わし、ｗは１〜４０の整数を表わすか、または、少なくとも１個のＲ４基はヒドロカルビル基を表わし、ｙは１〜４０の整数を表わす］；
（ｃ）任意に、１個または複数のＣＯＯＨ、ＯＨ、ＳＨおよびＮＨ２末端基を含む少なくとも１種の鎖延長剤であって、前記鎖延長剤はＰＥＧ化合物であり、当該鎖延長剤は５００以下の数平均分子量を有し；
（ｄ）任意に、１種または複数の６００〜２０，０００の数平均分子量を有するＰＥＧ化合物；
（ｅ）ＣＯＯＨ、ＯＨ、ＳＨ、ＮＨ２、ＮＨＲおよび／またはＮＣＯ官能基［式中、Ｒはアルキル基を表わす］を含む、２以上の平均官能価を有する多官能性化合物、
を含む混合物を調製するステップであって、
混合物中の反応物の少なくとも９５ｗｔ％は２以下の平均官能価を有するステップと；
（ｉｉ）実質的に無水条件下で、ステップ（ｉ）で形成された混合物を反応させ、ポリウレタンキセロゲルを形成させるステップであって、当該ポリウレタンキセロゲルが、２５ｗｔ％以上のシリコーン含量を有するステップ とを含む、
ポリウレタンキセロゲルの調製方法。
【請求項１０】
請求項９に記載のポリウレタンキセロゲルを調製するステップと、
水性媒体で前記ポリウレタンキセロゲルを水和してポリウレタンヒドロゲルを形成させるステップとを含む、ポリウレタンヒドロゲルの調製方法。
【請求項１１】
請求項９の方法によって得られるポリウレタンキセロゲル又は請求項１０の方法によって得られるポリウレタンヒドロゲル。
【請求項１２】
（ｉ）（ａ）少なくとも１種のイソシアネート、一般にジイソシアネート；
（ｂ）少なくとも１種の式Ｊのシリコーン含有化合物：
【化８】
2016500708.tif 000008
［式中、
Ｒ、Ｒ１、Ｒ２、Ｒ３およびＲ４は、それぞれ独立して、ヒドロカルビル基（一般に低級アルキル基）またはＨを表わし；
各Ｒ５はヒドロカルビル基（一般に低級アルキル基）を表わし；
ｐは、０〜４０、適切には１〜１０の整数であり；
ｑは、０〜４０、適切には１〜１０の整数であり；
ｚは、１〜５０、一般には１〜１０、適切には１〜３の整数であり；
ｕは、１〜１００、適切には１０〜４０、典型的には１〜１０の整数であり；
Ｑ基は、それぞれ独立して、ＣＯＯＨ、ＯＨ、ＳＨ、ＮＨ２、ＮＨＲまたはＮＣＯ基を表わし、典型的には、ＱはそれぞれＯＨを表わし；
ここで、少なくとも１個のＲ１基はヒドロカルビル基を表わし、ｐは１〜４０の整数を表わすか、または、少なくとも１個のＲ２基はヒドロカルビル基を表わし、ｑは１〜４０の整数を表わし；また、
少なくとも１個のＲ３基はヒドロカルビル基を表わし、ｗは１〜４０の整数を表わすか、または、少なくとも１個のＲ４基はヒドロカルビル基を表わし、ｙは１〜４０の整数を表わす］；
（ｃ）任意に、１個または複数のＣＯＯＨ、ＯＨ、ＳＨおよびＮＨ２末端基を含む少なくとも１種の鎖延長剤であって、前記鎖延長剤はＰＥＧ化合物であり、当該鎖延長剤は５００以下の数平均分子量を有し；
（ｄ）任意に、１種または複数の６００〜２０，０００の数平均分子量を有するＰＥＧ化合物；
（ｅ）ＣＯＯＨ、ＯＨ、ＳＨ、ＮＨ２、ＮＨＲおよび／またはＮＣＯ官能基［式中、Ｒはアルキル基を表わす］を含む、２以上の平均官能価を有する多官能性化合物、
を含む混合物を調製するステップであって、
混合物中の反応物の少なくとも９５ｗｔ％は２以下の平均官能価を有するステップと；
（ｉｉ）実質的に無水条件下で、ステップ（ｉ）で形成された混合物を反応させ、ポリウレタンキセロゲルを形成させるステップであって、当該ポリウレタンキセロゲルが、２５ｗｔ％以上のシリコーン含量を有するステップ と；
（ｉｉｉ）ポリウレタンキセロゲルを処理して成形品を形成させるステップとを含む、
成形品形態のポリウレタンキセロゲルの調製方法。
【請求項１３】
請求項１２に記載の成形品形態のポリウレタンキセロゲルを調製するステップと、水性媒体で前記成形品を水和してポリウレタンヒドロゲルを形成させるステップとを含む、成形品形態のポリウレタンヒドロゲルの調製方法。
【請求項１４】
成形品がコンタクトレンズなどの眼科用器具の形態である、請求項１２又は１３に記載の方法。
【請求項１５】
請求項１から７のいずれか一項又は請求項１１に記載のポリウレタンキセロゲル、または請求項８又は請求項１１に記載のポリウレタンヒドロゲルを含む製造品。